(57)【要約】      （修正有）【課題】塗装現場に用いられるマスキングシートに関して、着火しても燃焼が継続することがなく、火災の原因にならない安全性の高いマスキングシートの提供。【解決手段】シート本体１と、シート本体１の長手方向の一辺に沿って設けられた接着部２とでマスキングシートを構成し、シート本体１を難燃性の樹脂材料で形成するマスキングシートであり、シート本体１を構成する樹脂材料は、酸素指数が２６以上のポリエチレンであり、接着部２は、帯状の基材２ａの一方の面に接着層２ｂを備えた接着テープ２からなり、接着テープ２の基材２ａ及び接着層２ｂは、難燃性の材料で構成されたマスキングシート。【選択図】図２
2017082112.tif 000002
【特許請求の範囲】
【請求項１】
シート本体と、
このシート本体の長手方向の一辺に沿って設けられた接着部とを備え、
上記シート本体が難燃性の樹脂材料からなるマスキングシート。
【請求項２】
上記シート本体を構成する樹脂材料は、酸素指数が２６以上のポリエチレンである請求項１に記載のマスキングシート。
【請求項３】
上記接着部は、帯状の基材の一方の面に接着層を備えた接着テープからなり、
上記接着テープの基材及び接着層は、難燃性の材料で構成された請求項１又は２に記載のマスキングシート。
【発明の詳細な説明】
【技術分野】
【０００１】
この発明は、塗装作業時に、塗装対象面以外に塗料が付着することを防ぐためのマスキングシートに関する。
【背景技術】
【０００２】
従来から、塗装作業を行なう際には、塗装対象面以外に塗料が付着して汚れてしまうことを防止するためマスキングシートが用いられていた。この種のマスキングシートは、ポリエチレンなどの樹脂製のシート本体からなり、このシート本体を、接着テープで塗装しない非塗装面に貼りつけて非塗装面を覆うようにしていた。また、シート本体に、予め接着テープが貼りつけられたマスキングシートもあった（特許文献１）。
このようなマスキングシートは、壁面などの塗装対象部分と非塗装部分との境界に貼り付けて、非塗装面を保護するだけでなく、高所作業用の足場や、作業現場を囲うパネルなどを覆う際に用いられることもあった。
【０００３】
例えば、高速道路の側壁や、橋脚などの塗装作業は、高所作業となるため、足場が必要である。さらに、塗装に用いる塗料や、塗り直しの場合に剥離した旧塗膜の粉塵や破片、特にＰＣＢ（ポリ塩化ビフェニール）・鉛等の有害物質を含む粉塵が外部へ漏洩するのを防止するために周囲を囲うパネルが必要である。
このような足場やパネルは、様々な現場で繰り返し使用されるものなので、これらに、塗料が付着して汚れてしまうことがないように、足場やパネルをマスキングシートで覆うようにしている。
【先行技術文献】
【特許文献】
【０００４】
【特許文献１】特開平６−３２００７７号公報
【発明の概要】
【発明が解決しようとする課題】
【０００５】
一方、塗装現場では、塗料の密着性を良くするために、塗装対象面の油膜や異物、あるいは塗り直し現場で剥離した旧塗膜などを除去する必要がある。このように、塗装対象面をきれいにするため、シンナーなどの有機溶剤を用いて表面を拭いたり、旧塗膜を除去する塗膜剥離剤を用いたりすることがあった。
ところが、シンナーや塗膜剥離剤等の有機溶剤は引火点が低いので、着火し易く、有機溶剤に着火した火がマスキングシートに移り、火災が発生してしまうことがあった。
特に、パネルで囲まれた現場で火災が発生した場合には、パネル内の作業者が、大変な危険に曝されることになる。
この発明の目的は、着火してもすぐに燃焼が収まって、火災にならない、安全性の高いマスキングシートを提供することである。
【課題を解決するための手段】
【０００６】
第１の発明は、シート本体と、このシート本体の長手方向の一辺に沿って設けられた接着部とを備え、上記シート本体が難燃性の樹脂材料からなることを特徴とする。
【０００７】
第２の発明は、上記シート本体を構成する樹脂材料が、酸素指数が２６以上のポリエチレンであることを特徴とする。
【０００８】
第３の発明は、上記接着部が、帯状の基材の一方の面に接着層を備えた接着テープからなり、上記接着テープの基材及び接着層が、難燃性の材料で構成されていることを特徴とする。
【発明の効果】
【０００９】
第１の発明によれば、シート本体が難燃性なので、万が一シート本体に着火したとしても、燃焼が継続することがなく、火災の発生を防止できる。したがって、例えば塗装作業の現場での安全性が高くなる。
第２の発明によれば、シート本体の酸素指数が高くなり、燃焼しにくくなる。
【００１０】
第３の発明によれば、マスキングシート全体を難燃性にして、より燃焼しにくくできる。そのため、さらに安全性が上がる。
【図面の簡単な説明】
【００１１】
【図１】この発明の実施形態のマスキングシートを示す斜視図である。
【図２】図１のII-II線断面図である。
【発明を実施するための形態】
【００１２】
図１，２に示すこの実施形態のマスキングシートは、難燃性の樹脂材料からなるシート本体１の長手方向の一辺に、帯状の接着テープ２を貼りつけたものである。
上記接着テープ２は、基材２ａの一方の面に接着剤からなる接着層２ｂを備え、その幅の約３分の１をシート本体１に重ねて貼り、残りの約３分の２をシート本体１からはみ出させたものである。シート本体１からはみ出した接着層２ｂの部分が、この発明の接着部を構成している。
また、基材２ａにおいて上記接着層２ｂと反対側の面を表面とし、この表面には接着層２ｂが接着した場合に、剥がしやすくするためのシリコーン層が形成されている。
【００１３】
そして、使用前のこの実施形態のマスキングシートは、図１に示すように、芯材３の外周に巻き付けてロール状にされている。このようにマスキングシートをロール状にしたとき、上記接着テープ２が積層され、上層側になる接着層２ｂが下層側になる基材２ａの表面に接着する。このようなロールからシート本体１を引き出す際には、接着テープ２を剥がさなければならないが、基材２ａの表面のシリコーン層が、積層して接着した接着テープ２同士を剥がしやすくしている。
【００１４】
また、上記マスキングシートをロール状にする際には、上記接着テープ２を貼った辺に直交する辺、すなわちシート本体１の幅方向長さを、図２に示すように複数回折りたたんで芯材３の長さに合わせている。このように、シート本体１の幅を折りたためば、シート本体１の幅の大きくしても、芯材３の長さをそれほど長くしなくても足りる。
上記シート本体１の折りたたみ方は、どのようなものでもよいが、現場でロールから引き出したシート本体１を、簡単に広げることができる折り方が好ましい。
【００１５】
そして、この実施形態のシート本体１は、難燃性のポリエチレン樹脂で形成されている。難燃性のポリエチレン樹脂は、メイン樹脂に難燃剤を添加したもので、酸素指数は２６以上である。
上記酸素指数は、燃焼状態を維持し得る空気中の最低酸素濃度を示す値であり、ＪＩＳ  Ｋ  ７２０１で規格化されたものである。そして、酸素指数が２６以上の材料を難燃性に区分している。したがって、この実施形態のシート本体１は難燃性である。
なお、一般的なポリエチレンは、上記酸素指数が約１８〜１９で可燃性である。
【００１６】
このようなマスキングシートは、塗装現場において、図１に示すロールからシート本体１を引き出し、接着テープ２を必要個所に貼りつけながらシート本体１を広げて、非塗装面や、足場やパネルなどを覆う。
上記マスキングシートを貼りつけた現場では、塗膜剥離剤等の有機溶剤や、溶剤系塗料の揮発成分への引火、旧塗膜や錆の剥離のために金属面を研磨することによって発生した火花などが原因となって、シート本体１に着火する可能性がある。
しかし、何らかの原因でシート本体１に着火したとしても、この実施形態のシート本体１は難燃性なので、自己消火性があり、燃焼し続けることはない。したがって、上記マスキングシートが燃焼し続けて火災になるようなことはない。
【００１７】
なお、上記においては、マスキングシートが塗装現場で使用される場合について説明したが、このマスキングシートは、塗装現場以外で用いることもできる。例えば、引火しやすい環境下での工事現場において、粉塵よけやコンクリートの養生用シートとして利用することもできる。この場合にも、マスキングシートが燃焼して火災が発生することを防止できる。
また、シート本体１のメイン樹脂はポリエチレンに限らない。シート本体１が難燃性になればよく、可撓性、耐久性などの観点から、その材料を選択することができる。
【００１８】
さらに、上記接着テープ２は、全体が難燃性の材料で構成されていなくてもよい。
この実施形態の接着テープ２は、基材２ａの表面にシリコーン層が形成されているが、このシリコーン層が難燃性であれば、上記基材２ａの表面も、上記シート本体１と同様に難燃性を示すことになる。
基材２ａの表面が難燃性ならば、接着テープ２を目的の個所に貼り付ける際に、接着層２ｂが浮き上がらないように密着させるようにすることで、シート本体１や基材２ａ側から、接着層２ｂに着火することを防止できる。
【００１９】
このように、接着層２ｂが着火する可能性がなければ、かりに、上記接着層２ｂが可燃性であったとしても、そこから火災に発展する可能性はほとんどない。
つまり、上記基材２ａの表面を難燃性にするとともに、使用時に接着層２ｂを被接着面に対してすき間なく密着させることができれば、接着層２ｂの材料を自由に選択することができる。
ただし、上記基材２ａや接着層２ｂを、難燃性の材料で構成すれば、火災をより確実に防止できる。
【００２０】
なお、この発明の接着部は上記接着テープ２ではなく、シート本体１の一方の面に長手方向一辺に沿って接着剤を塗布するなどして形成してもよい。その場合には、マスキングシートをロール状に巻いたとき接着剤を介して接着されたシート本体１同士が、容易に剥がせる構成が必要である。例えば、シート本体１において上記接着剤の塗布部分に対応した反対側の面に、離型剤を塗布してもよい。
さらに、表裏面で、接着力が異なる両面テープをシート本体１の長手方向の一辺に沿って貼りつけ、接着力が弱い方の面を、この発明の接着部としてもよい。
【産業上の利用可能性】
【００２１】
この発明のマスキングシートは火花などの点火源や揮発性の高い溶剤などを扱う現場や、パネルなどで囲われた現場において、特に有用である。
【符号の説明】
【００２２】
１      シート本体
２      接着テープ
２ａ      基材
２ｂ      接着層
【図１】
2017082112.tif 000003
【図２】
2017082112.tif 000004